(57)【特許請求の範囲】
【請求項１】
歯科治療用インスツルメントのハンドピース部が載置されるハンドピース部載置部と、該ハンドピース部載置部に続く液槽部とを有し、前記ハンドピース部載置部に前記インスツルメントのハンドピース部が載置された時に、該インスツルメントのヘッド部に装着された刃物及び／又はヘッド部が前記液槽部内の薬液に浸漬されることを特徴とする歯科用インスツルメントホルダー。
【請求項２】
前記液槽部の上部に液吐出口部を有し、該液吐出口部より洗浄液又は薬液を前記インスツルメントのヘッド部へ噴射するようにしたことを特徴とする請求項１に記載の歯科用インスツルメントホルダー。
【請求項３】
前記ハンドピース部載置部は、ハンドピース取り出し側に設けられていることを特徴とする請求項１又は２に記載の歯科用インスツルメントホルダー。
【請求項４】
前記ハンドピース部載置部の下部に、インスツルメントホースを支持するアームを有することを特徴とする請求項１乃至３のいずれかに記載の歯科治療用インスツルメントホルダー。
【請求項５】
前記アームは、前記ハンドピースの載置方向と平行の方向に回動可能であることを特徴とする請求項４に記載の歯科治療用インスツルメントホルダー。
【発明の詳細な説明】
【０００１】
【発明の属する技術分野】
本発明は、歯科治療用インスツルメントホルダー、より詳細には、歯科治療用インスツルメントをインスツルメントホルダー上に載置した時に、該インスツルメントのヘッド部及び／又は該ヘッド部に装着された刃物が、薬液中に浸漬されるようにし、もって、歯科治療用インスツルメントのヘッド部及び／又は該ヘッド部に装着された刃物を殺菌し、より衛生的な歯科治療を行うことができるようにした歯科治療用インスツルメントホルダーに関する。
【０００２】
【従来の技術】
図２は、歯科治療ユニットの一例を示す全体構成図で、図中、１０は歯科治療用ユニットで、該ユニット１０は、治療椅子１，ワークテーブル２，インスツルメントホルダー３，歯科治療を行うための各種（エアータービン，マイクロエンジン,シリンジ,スケーラー等）ドクター用インスツルメント４，各インスツルメント４に水,エアー,電気等を供給するためのインスツルメントホース５，アシスタント用インスツルメンツホルダー６，アシスタント用インスツルメント７等を有し、周知のように、歯科治療に当り、患者は椅子１に座り、頭を安頭台８に固定して治療を受ける。治療中、術者は治療椅子１を上下動、倒起動、傾斜動等させて、患者を治療しやすい姿勢にし、インスツルメント４を用いて種々所望の歯科治療を行う。また、アシスタントは、バキューム管，排唾管等のアシスタント用のインスツルメント７を用いて、患者の口腔内に生じる汚液，唾液等を吸引，排出する。
【０００３】
【発明が解決しようとする課題】
上述のように、従来の歯科治療ユニットにおいては、術者用のインスツルメント４はインスツルメントホルダー３の上に水平に載置されており、歯科治療に当って、術者は、該インスツルメントホルダー３上に載置されているインスツルメント４を引き出して使用するが、これらインスツルメント４のヘッド部は、常時は、周囲の雰囲気中に露出されており、そのため、ヘッド部や該ヘッド部に装着されている刃物に周囲雰囲気中に浮遊している塵埃や細菌等が付着し、特に、これらヘッド部や刃物は患者の口腔内に入れられて使用されるものであるため、非衛生的であった。
【０００４】
本発明は、上述のごとき実情に鑑みてなされたもので、特に、歯科治療において術者が使用するインスツルメントのヘッド部を、非使用時、薬液内に浸漬しておき、より衛生的な歯科治療が行えるようにすることを目的としてなされたものである。
【０００５】
【課題を解決するための手段】
請求項１の発明は、歯科治療用インスツルメントのハンドピース部が載置されるハンドピース部載置部と、該ハンドピース部載置部に続く薬液槽部とを有し、前記ハンドピース部載置部に前記インスツルメントのハンドピース部が載置された時に、該インスツルメントのヘッド部に装着された刃物及び／又はヘッド部が前記薬液槽の薬液に浸漬されることを特徴としたものである。
【０００６】
請求項２の発明は、請求項１の発明において、前記薬液槽の上部に液吐出口部を有し、該液吐出口部より洗浄液又は薬液を前記インスツルメントのヘッド部へ噴射するようにしたことを特徴としたものである。
【０００７】
請求項３の発明は、請求項１又は２の発明において、前記ハンドピース部載置部は、ハンドピース取り出し側に設けられていることを特徴としたものである。
【０００８】
請求項４の発明は、請求項１乃至３のいずれかの発明において、前記ハンドピース部載置部の下部に、インスツルメントホースを支持するアームを有することを特徴としたものである。
【０００９】
請求項５の発明は、請求項４の発明において、前記アームは、前記ハンドピースの載置方向と平行の方向に回動可能であることを特徴としたものである。
【００１０】
【発明の実施の形態】
図１は、本発明による歯科用インスツルメントホルダーの一実施例を説明するための要部構成図で、図中、３はインスツルメントホルダー，４はドクター用インスツルメント，５はインスツルメントホースで、ドクター用インスツルメント４及びインスツルメントホース５の構成は、図２に示した従来のインスツルメント４及びインスツルメントホース５と全く同じであるが、インスツルメントホルダー３への載置の仕方が異なっている。すなわち、本発明においては、インスツルメント４の載置方向が、従来とは逆になっており、図１に示すように、ハンドピース部４ａがインスツルメント取り出し側（手前）に、ヘッド部４ｂが奥側になるように載置されるようになっている。インスツルメントホルダー３は、インスツルメント４のハンドピース部４ａが載置されるハンドピース部載置部３ａと、ヘッド部４ｂに対応した液槽部３ｂとよりなり、インスツルメント４は、インスツルメントホルダー３上に載置されている時（つまり、インスツルメント非使用時）、ヘッド部４ｂ（及びヘッド部４ｂに刃物９が装着されている時は、刃物９も共に）が液槽部３ｂ内の薬液に浸漬されるようになっている。
【００１１】
液槽部３ｂの上部には、各インスツルメント４に対応して液吐出口３ｃが設けられており、該液吐出口３ｃより時々（例えば、１日に１回）洗浄液（具体的には、水道水，熱湯，過熱蒸気等）を噴射してインスツルメント４のヘッド部４ｂを洗浄し又は殺菌する。また、液槽部３ｂの下部には排水ホース３ｄが設けられており、液槽部３ｂ内の薬液（殺菌水，オゾン水）、及び、液吐出口３ｃより噴射された洗浄水，熱湯等を排出し、液槽部３ｂ内を清潔に保ち、かつ、液槽部３ｂ内の薬液の交換を可能にしている。
【００１２】
インスツルメントホルダー３の各ハンドピース部載置部３ａの下部には、インスツルメントホース５を支持するインスツルメントホース支持アーム１１が設けられており、インスツルメント使用時、使用中のインスツルメントに対するインスツルメントホース５を該インスツルメントホース支持アーム１１により支えるようにしている。すなわち、図２に示した従来のインスツルメントホルダーによると、インスツルメント４を引き出した時に、引き出されたインスツルメントのインスツルメントホース５は、インスツルメントホルダー３上にあるため、術者には、引き出されたインスツルメントホースの長さに相当（比例）する荷重がかかることになるが、図１に示した、本発明によるインスツルメントホルダーによると、もし、後述するインスツルメントホース支持アーム１１がないとすると、インスツルメントをインスツルメントホルダーから引き出した時、インスツルメントホース５の約半分の長さに相当（比例）する荷重がかかることになり、インスツルメントを操作する術者の手にかかる荷重（インスツルメントホースによる荷重）が大きく、術者の負担が大きい。
【００１３】
インスツルメントホース支持アーム１１は、上述のごときインスツルメントホース５の荷重が術者のインスツルメントを持つ手にかかるのを軽減するためのもので、インスツルメント使用時、該インスツルメントホース支持アーム１１を、インスツルメントホルダー３の下部前方に展開し、引き出したインスツルメントのインスツルメントホースを該インスツルメント支持アーム１１の上に載せるようにし、ここで、インスツルメントホースの荷重を一旦支えるようにして、術者の手元にかかる荷重を軽減するようにしている。なお、このインスツルメント支持アーム１１は、インスツルメントホルダー３のハンドピース部載置部３ａの下部に、各インスツルメントに対応して設けられており、好ましくは、インスツルメント非使用時は、矢印Ａにて示される方向に回動されて、ハンドピース部載置部３ａの下部に収納され，使用時のみ、図示のように、引き出されて使用されるようになっているが、必ずしも、回動式にする必要はなく、図に示した状態に固定しておくようにしてもよい。
【００１４】
【発明の効果】
以上の説明から明らかなように、本発明によると、歯科治療におけるインスルツルメントのヘッド部を、非使用時、薬液中に浸しておくようにしたので、該ヘッド部及び該ヘッド部に装着した刃物等に細菌等が付着するおそれがなく、衛生的な歯科診療を行うことができる。
【図面の簡単な説明】
【図１】  本発明による歯科用インスツルメントホルダーの一実施例を説明するための要部概略構成図である。
【図２】  本発明が適用される一例としての歯科治療ユニットの全体構成を示す要部概略構成図である。
【符号の説明】
３…インスツルメントホルダー，３ａ…ハンドピース部載置部、３ｂ…液槽部、３ｃ…液吐出口、３ｄ…排水ホース、４…インスツルメント、４ａ…ハンドピース部、４ｂ…ヘッド部、５…インスツメントホース、９…刃物、１１…インスツルメントホース支持アーム。
【図１】
0003652333.tif 000002
【図２】
0003652333.tif 000003